(57)【要約】      （修正有）【課題】薄型化でき、多彩なデザインや多機能展開を可能とする電子時計を提供する。【解決手段】電子時計は、文字板と、文字板を貫通し時針が取り付けられる指針軸と、平面視において、指針軸及び１２時位置を結ぶ１２時仮想線と重なる位置に配置される平面アンテナ４０と、平面視において、指針軸及び３時位置を結ぶ３時仮想線と重なる位置に配置される巻真７０１と、平面視において、指針軸および９時位置を結ぶ９時仮想線と、３時仮想線とで区画される２つの領域のうち、文字板の６時位置を含む領域に配置される電池２４と、秒針を駆動する第１モーター１０１、分針を駆動する第２モーター１０２、時針を駆動する第３モーター１０３と、を有し、平面アンテナと巻真と電池と第１モーターと第２モーターと第３モーターとは、互いに平面視で重ならない位置に配置され、第１モーター、第２モーター、第３モーターの１つは、平面アンテナと巻真の間に配置される。【選択図】図３
2019144162.tif 000002
【特許請求の範囲】
【請求項１】
文字板と、
前記文字板を貫通し、時針が取り付けられる指針軸と、
平面視において、前記指針軸および１２時位置を結ぶ１２時仮想線と重なる位置に配置される平面アンテナと、
前記平面視において、前記指針軸および３時位置を結ぶ３時仮想線と重なる位置に配置される巻真と、
前記平面視において、前記指針軸および９時位置を結ぶ９時仮想線と、前記３時仮想線とで区画される２つの領域のうち、前記文字板の６時位置を含む領域に配置される電池と、
秒針を駆動する第１モーター、分針を駆動する第２モーター、前記時針を駆動する第３モーターと、を有し、
前記平面アンテナと、前記巻真と、前記電池と、前記第１モーターと、前記第２モーターと、前記第３モーターとは、互いに前記平面視で重ならない位置に配置され、
前記第１モーター、前記第２モーター、前記第３モーターのうちの１つは、前記平面アンテナと前記巻真との間に配置される
ことを特徴とする電子時計。
【請求項２】
請求項１に記載の電子時計において、
前記平面視において、前記指針軸と前記巻真との間に、前記第１モーター、前記第２モーター、前記第３モーターのうちの１つが配置される
ことを特徴とする電子時計。
【請求項３】
請求項１または請求項２に記載の電子時計において、
前記平面視において、前記平面アンテナと前記電池との間に、前記第１モーター、前記第２モーター、前記第３モーターのうちの１つが配置される
ことを特徴とする電子時計。
【請求項４】
請求項１から請求項３のいずれか一項に記載の電子時計において、
前記平面アンテナと前記巻真との間に配置されるのは前記第３モーターである
ことを特徴とする電子時計。
【請求項５】
請求項１から請求項４のいずれか一項に記載の電子時計において、
前記電池と前記巻真との間には、第４モーターが配置され、
前記第４モーターは、前記指針軸に対して６時方向に設けられた第二の指針軸に取り付けられた指針を駆動する
ことを特徴とする電子時計。
【請求項６】
請求項１から請求項５のいずれか一項に記載の電子時計において、
前記平面アンテナと前記巻真との間には、前記第１モーター、前記第２モーター、前記第３モーターの内の１つと、第５モーターとが配置され、
前記第５モーターは、前記指針軸に対して３時方向から２時方向までの範囲に設けられた第三の指針軸に取り付けられた指針を駆動する
ことを特徴とする電子時計。
【請求項７】
請求項１から請求項６のいずれか一項に記載の電子時計において、
前記平面アンテナと前記９時仮想線との間には、第６モーターが配置され、
前記第６モーターは、前記指針軸に対して９時方向から１０時方向までの範囲に設けられた第四の指針軸に取り付けられた指針を駆動する
ことを特徴とする電子時計。
【発明の詳細な説明】
【技術分野】
【０００１】
本発明は、電子時計に関し、特に平面アンテナおよび複数モーターを備える電子時計に関する。
【背景技術】
【０００２】
ＧＰＳ（Global Positioning System）等の位置情報衛星から送信される電波を受信する平面アンテナを有する電子時計において、受信性能を確保でき、かつ、薄型化できる電子時計が知られている（特許文献１）。
前記電子時計は、非導電性部材からなる文字板および指針を有する時刻表示部と、平面アンテナと、前記指針を駆動するモーターと、電池とを備える。平面アンテナ、モーターおよび電池は、それぞれが時刻表示部と平面的に重なり、かつ、互いに平面的に重ならない位置に配置している。これにより、平面アンテナやモーターと電池とが時計の厚さ方向に重なる場合に比べて、電子時計を薄型化できる。また、平面アンテナは、モーターや電池と平面的に重ならずに配置できるので、誘電体を積層して構成でき、平面サイズが小さな平面アンテナを用いても受信性能を確保できる。
【先行技術文献】
【特許文献】
【０００３】
【特許文献１】特開２０１６−１０９５２２号公報
【発明の概要】
【発明が解決しようとする課題】
【０００４】
前記特許文献１の電子時計は、平面アンテナを、平面視で文字板の５時位置に配置しており、サブダイヤルの位置や数に制約が生じていた。このため、時計の文字板部分のデザイン性が制約され、サブダイヤルを用いた機能の組み込みも制約が生じ、電子時計において、薄型で、多彩なデザイン、多機能展開が難しいという課題があった。
【０００５】
本発明の目的は、薄型化でき、かつ、多彩なデザインや多機能展開を可能とする電子時計を提供することにある。
【課題を解決するための手段】
【０００６】
本発明の電子時計は、文字板と、前記文字板を貫通し、時針が取り付けられる指針軸と、平面視において、前記指針軸および１２時位置を結ぶ１２時仮想線と重なる位置に配置される平面アンテナと、前記平面視において、前記指針軸および３時位置を結ぶ３時仮想線と重なる位置に配置される巻真と、前記平面視において、前記指針軸および９時位置を結ぶ９時仮想線と、前記３時仮想線とで区画される２つの領域のうち、前記文字板の６時位置を含む領域に配置される電池と、秒針を駆動する第１モーター、分針を駆動する第２モーター、前記時針を駆動する第３モーターと、を有し、前記平面アンテナと、前記巻真と、前記電池と、前記第１モーターと、前記第２モーターと、前記第３モーターとは、互いに前記平面視で重ならない位置に配置され、前記第１モーター、前記第２モーター、前記第３モーターのうちの１つは、前記平面アンテナと前記巻真との間に配置されることを特徴とする。
【０００７】
本発明によれば、平面視において、文字板を貫通して時針が取り付けられる指針軸に対し、平面アンテナは１２時側に配置され、巻真は３時側に配置される。また、電池は、平面視において、文字板と重なる領域を、３時仮想線および９時仮想線で区画した２つの領域のうち、６時側の領域に配置される。したがって、平面アンテナ、巻真、電池を分散して配置でき、第１〜３モーターもこれらの部品と平面視で重ならない位置に容易に配置できる。このため、電子時計において、厚さ寸法が比較的大きな部品を、電子時計の厚さ方向に重ねて配置していないので、電子時計を薄型化できる。
また、時分秒の各指針を駆動する３つの第１〜第３モーターのうちの１つを、平面アンテナと巻真との間に配置しているので、平面アンテナおよび巻真間の比較的狭いスペースを有効に利用できる。また、残りの２つのモーターを配置可能なスペースが広くなり、サブダイヤル用の他のモーターも容易に配置できる。このため、サブダイヤルを設ける場合に配置位置の自由度が高まり、電子時計のデザインを多彩にできる。また、電子時計において、サブダイヤルを活用したクロノグラフやデュアルタイム等の多機能展開も容易に行うことができる。
【０００８】
本発明の電子時計は、前記平面視において、前記指針軸と前記巻真との間に、前記第１モーター、前記第２モーター、前記第３モーターのうちの１つが配置されることが好ましい。
【０００９】
本発明によれば、第１〜第３モーターのうちの１つを、平面視において、前記指針軸と巻真との間に配置しているので、文字板の半径方向にモーターおよび巻真を並べて配置でき、文字板と平面視で重なるスペースを効率良く利用できる。
すなわち、第１〜第３モーターのいずれか１つは、平面アンテナと巻真間に配置でき、他の１つは、巻真の文字板中心側に配置できるため、残りの１つのモーターを配置可能なスペースが広くなり、サブダイヤル用の他のモーターも容易に配置できる。
【００１０】
本発明の電子時計は、前記平面視において、前記平面アンテナと前記電池との間に、前記第１モーター、前記第２モーター、前記第３モーターのうちの１つが配置されることが好ましい。
【００１１】
本発明によれば、第１〜第３モーターのうちの１つを、平面アンテナと電池との間に配置しているので、平面アンテナと電池間の比較的狭い領域を有効に利用できる。
すなわち、第１〜第３モーターのいずれか１つは、平面アンテナと巻真間に配置でき、他の１つは、平面アンテナと電池間に配置できるため、残りの１つのモーターを配置可能なスペースが広くなり、サブダイヤル用の他のモーターも容易に配置できる。
【００１２】
本発明の電子時計において、前記平面アンテナと前記巻真との間に配置されるのは前記第３モーターであることが好ましい。
【００１３】
本発明によれば、時針を駆動する第３モーターを、平面アンテナと巻真との間に配置できる。時針の運針間隔は、秒針および分針に比べて長くできる。したがって、第１、第２モーターを平面アンテナの近くに配置する場合に比べて、第３モーターを配置したほうが、平面アンテナでの受信処理に与える影響を軽減できる。
【００１４】
本発明の電子時計において、前記電池と前記巻真との間には、第４モーターが配置され、前記第４モーターは、前記指針軸に対して６時方向に設けられた第二の指針軸に取り付けられた指針を駆動することが好ましい。
【００１５】
本発明によれば、第４モーターを、電池と巻真との間に配置したので、電池と巻真間のスペースを有効に利用できる。
また、指針軸に対して６時方向に設けられた第二の指針軸に取り付けられた指針、すなわちサブダイヤルの指針の近くに第４モーターを配置できるため、前記指針を駆動する輪列の歯車数を少なくでき、第４モーターおよび輪列を容易にレイアウトできる。
【００１６】
本発明の電子時計において、前記平面アンテナと前記巻真との間には、前記第１モーター、前記第２モーター、前記第３モーターの内の１つと、第５モーターとが配置され、前記第５モーターは、前記指針軸に対して３時方向から２時方向までの範囲に設けられた第三の指針軸に取り付けられた指針を駆動することが好ましい。
【００１７】
本発明によれば、第５モーターを、平面アンテナと巻真との間に配置したので、平面アンテナと切換装置との間のスペースをさらに有効に利用できる。
また、指針軸に対して３時方向から２時方向までの範囲に設けられた第三の指針軸に取り付けられた指針、すなわちサブダイヤルの指針の近くに第５モーターを配置できるため、前記指針を駆動する輪列の歯車数を少なくでき、第５モーターおよび輪列を容易にレイアウトできる。
【００１８】
本発明の電子時計において、前記平面アンテナと前記９時仮想線との間には、第６モーターが配置され、前記第６モーターは、前記指針軸に対して９時方向から１０時方向までの範囲に設けられた第四の指針軸に取り付けられた指針を駆動することが好ましい。
【００１９】
本発明によれば、第６モーターを、平面アンテナと９時仮想線との間に配置したので、平面アンテナと９時仮想線との間のスペースを有効に利用できる。
また、指針軸に対して９時方向から１０時方向までの範囲に設けられた第四の指針軸に取り付けられた指針、すなわちサブダイヤルの指針の近くに第６モーターを配置できるため、前記指針を駆動する輪列の歯車数を少なくでき、第６モーターおよび輪列を容易にレイアウトできる。
【図面の簡単な説明】
【００２０】
【図１】本発明の実施形態に係る第１の電子時計を示す正面図。
【図２】図１のII−II線に沿った断面図。
【図３】前記第１の電子時計のムーブメントを示す平面図。
【図４】本発明の実施形態に係る第２の電子時計を示す正面図。
【図５】前記第２の電子時計のムーブメントを示す平面図。
【発明を実施するための形態】
【００２１】
［電子時計］
本実施形態は、図１に示す第１の電子時計１と、図４に示す第２の電子時計１Ｂとを実現可能な電子時計である。電子時計１、１Ｂは、小窓（サブダイヤル）７７０、７８０の位置が異なり、その他の構成は共通する。このため、最初に、図１〜３を参照して電子時計１について説明し、その後、図４、図５を参照して、電子時計１Ｂについて電子時計１との相違点を中心に説明する。
なお、以降の説明において、電子時計１、１Ｂを、文字板に垂直な方向であってカバーガラス側または裏蓋側から見ることを平面視という。
【００２２】
本実施形態の電子時計１、１Ｂは、地球の上空を所定の軌道で周回している複数のＧＰＳ衛星や準天頂衛星などの位置情報衛星からの衛星信号を受信して衛星時刻情報を取得し、内部時刻情報を修正できるように構成されている。さらに、電子時計１、１Ｂは、衛星信号の受信処理として、ユーザーがボタンを操作することで受信を開始する手動受信に加えて、所定の条件に該当した際に自動的に受信を開始する自動受信を備えている。
【００２３】
第１の電子時計１は、図１〜３に示すように、文字板５０、ムーブメント２０、平面アンテナ４０、二次電池２４等を収容する外装ケース１０を備える。また、電子時計１は、外部操作用のリューズ６と、４つのボタン７Ａ、７Ｂ、７Ｃ、７Ｄと、外装ケース１０に接続されるバンドとを備える。バンドは、外装ケース１０の１２時側に接続される第１バンド１５と、６時側に接続される第２バンド１６と、図示略の中留とを備える。第１バンド１５、第２バンド１６は、外装ケース１０に取り付けられるチタン等の金属製のエンドピースと、複数の駒とを備えるメタルバンドである。なお、バンドとしては、メタルバンドに限らず、レザーバンドや樹脂バンドなどでもよい。
【００２４】
文字板５０は、ポリカーボネートなどの非導電性部材にて円板状に形成されている。文字板５０の平面中心Ｏ（図３）には、文字板５０を貫通して設けられる指針軸４（秒針軸４Ｂ、分針軸４Ｃ、時針軸４Ｄ）が配置され、この指針軸４には指針３（秒針３Ｂ、分針３Ｃ、時針３Ｄ）が取り付けられている。
文字板５０は、３つの小窓（サブダイヤル）を有する。すなわち、図１に示すように、文字板５０の指針軸４が設けられた平面中心Ｏに対して、３時方向に円形の第１小窓７７０と指針７７１が設けられ、９時方向に円形の第２小窓７８０と指針７８１が設けられ、６時方向に円形の第３小窓７９０と指針７９１、７９２が設けられている。
また、文字板５０の平面中心Ｏに対して、４時と５時との間の方向（４．５時方向）に矩形の日窓５１が設けられている。図２にも示すように、文字板５０の裏面側には日車５５が配置され、日車５５は日窓５１から視認可能となっている。さらに、文字板５０には、指針軸４が挿通される貫通孔５３と、指針７７１、７８１、７９１、７９２の指針軸５Ｂ、５Ｃ、５Ｄが挿通される貫通孔（図示略）も形成されている。
【００２５】
本実施形態では、第１小窓７７０の指針７７１は曜日を指示する曜日針であり、第２小窓７８０の指針７８１は各種情報を指示するモード針である。第３小窓７９０の指針７９１、７９２は、ホームタイムやローカルタイムを指示する小時計用の時針および分針である。モード針である指針７８１は、夏時間の設定（ＤＳＴ：夏時間ＯＮ、○：夏時間ＯＦＦ）と、二次電池２４の残量を示すパワーインジケーターと、機内モードと、ＧＰＳ時刻情報を受信し内部時刻を修正する測時モードと、ＧＰＳ時刻情報と軌道情報とを受信して内部時刻とタイムゾーンとを修正する測位モードとの各モードの設定を表示する。
これらの秒針３Ｂ、分針３Ｃ、時針３Ｄ、指針７７１、７８１、７９１、７９２および日車５５は、後述するモーターおよび輪列を介して駆動される。
【００２６】
［電子時計の外装構造］
図１〜図３に示すように、電子時計１は、後述するムーブメント２０等を収容する外装ケース１０を備える。なお、図２は、文字板５０の７時位置、文字板５０の平面中心Ｏ、１２時位置を結ぶ図１のII−II線に沿った断面図である。図３は、ムーブメント２０の要部を裏蓋側から見た平面図である。
外装ケース１０は、図２に示すように、ケース本体１１と、裏蓋１２と、カバーガラス３１を備える。ケース本体１１は、円筒状の胴１３と、胴１３の表面側に設けられたベゼル１４とを備える。
ケース本体１１の裏面側には、ケース本体１１の裏面側の開口を塞ぐ円板状の裏蓋１２が設けられている。裏蓋１２は、ケース本体１１の胴１３にねじ構造により接続される。なお、本実施形態では、胴１３と裏蓋１２とは、別体で構成されているが、これに限らず、胴１３および裏蓋１２が一体化されたワンピースケースでもよい。
胴１３、ベゼル１４、裏蓋１２には、ＳＵＳ（ステンレス鋼）、チタン合金、アルミ、ＢＳ（真鍮）などの金属材料が利用される。
【００２７】
［電子時計の内部構造］
次に、電子時計１の外装ケース１０に内蔵される内部構造について説明する。
図２に示すように、外装ケース１０内には、文字板５０の他、ムーブメント２０、平面アンテナ（パッチアンテナ）４０、日車５５、ダイヤルリング３２等が収容される。
なお、以下のムーブメント２０の説明において、地板２１の裏蓋側を表側とし、地板２１の文字板側を裏側として説明する。
【００２８】
ムーブメント２０は、地板２１、輪列受け（図示略）、地板２１および輪列受けに支持される駆動体２２、回路基板（図示略）、二次電池２４、太陽電池パネル２５を備える。
地板２１は、プラスチック等の非導電性部材にて形成されている。地板２１は、駆動体２２を収容する駆動体収容部２１Ａと、日車５５が配置される日車配置部２１Ｂと、平面アンテナ４０を収容するアンテナ収容部２１Ｃとを備える。日車配置部２１Ｂは、地板２１の裏側に形成されたリング状の凹溝部で構成されている。
駆動体収容部２１Ａおよびアンテナ収容部２１Ｃは、地板２１の表側に設けられている。アンテナ収容部２１Ｃは、平面位置が文字板５０の１２時位置であるため、図１、３に示すように、平面アンテナ４０は１２時位置に配置されている。具体的には、平面アンテナ４０は、指針３の指針軸４とケース本体１１との間であり、かつ、文字板５０の略１１時位置から略１時位置の範囲に配置されている。したがって、図３に示すように、文字板５０の平面中心Ｏから１２時方向に向かう１２時仮想線Ｌ０を設定した場合、平面アンテナ４０の少なくとも一部は１２時仮想線Ｌ０に平面視で重なっている。具体的には、平面アンテナ４０の平面中心が１２時仮想線Ｌ０に平面視で重なっている。なお、図３，５の説明における平面視とは、ムーブメント２０を表側（裏蓋１２側）から見た状態を意味する。
なお、以下の説明では、平面視において、指針軸４（文字板５０の平面中心Ｏ）と文字板５０の１２時位置とを結ぶ線を前述した１２時仮想線Ｌ０とし、以下、指針軸４（平面中心Ｏ）と、１〜１１時位置とを結ぶ各線を１時仮想線Ｌ１、２時仮想線Ｌ２、３時仮想線Ｌ３、４時仮想線Ｌ４、５時仮想線Ｌ５、６時仮想線Ｌ６、７時仮想線Ｌ７、８時仮想線Ｌ８、９時仮想線Ｌ９、１０時仮想線Ｌ１０、１１時仮想線Ｌ１１とする。
【００２９】
二次電池２４は、文字板５０と平面視で重なる領域を、３時仮想線Ｌ３および９時仮想線Ｌ９で２つの領域に区画した際に、文字板５０の６時位置を含む領域に配置される。具体的には、二次電池２４は、平面視において、６時仮想線Ｌ６および８時仮想線Ｌ８間の領域、すなわち７時仮想線Ｌ７に重なる位置に配置されている。
【００３０】
駆動体２２は、地板２１の駆動体収容部２１Ａに収容され、秒針３Ｂ、分針３Ｃ、時針３Ｄ、指針７７１、７８１、７９１、７９２および日車５５を駆動する。
駆動体２２は、図３に示すように、秒針３Ｂを駆動する第１モーター１０１および第１輪列１１０と、分針３Ｃを駆動する第２モーター１０２および第２輪列１２０と、時針３Ｄを駆動する第３モーター１０３および第３輪列１３０とを有する。
さらに、駆動体２２は、指針７９１、７９２を駆動する第４モーター１０４および第４輪列１４０と、指針７７１を駆動する第５モーター１０５および第５輪列１５０と、指針７８１を駆動する第６モーター１０６および第６輪列１６０とを有する。なお、日車５５は、別途、専用のモーターを組み込んで駆動してもよいが、本実施形態では、指針７８１を駆動する第６モーター１０６および第６輪列１６０に加えて図示略のゼネバ機構を設けることで、指針７８１を所定周（例えば６周）回転すると日車５５を１日分移動できるように構成している。
各モーター１０１〜１０６は、時計用のステップモーターであり、第４モーター１０４のみ２つのコイルを有する２コイルのステップモーターである。
【００３１】
［モーターの配置］
第１モーター１０１は、平面視において、４時仮想線Ｌ４に重なる位置に配置され、切換装置７００の巻真７０１と、指針軸４（平面中心Ｏ）との間に配置されている。
第２モーター１０２は、平面視において、８時仮想線Ｌ８に重なる位置に配置され、二次電池２４と、平面アンテナ４０との間に配置されている。
第３モーター１０３は、平面視において、切換装置７００の巻真７０１と平面アンテナ４０との間、より具体的には２時仮想線Ｌ２と平面アンテナ４０との間に配置されている。この第３モーター１０３は、平面視において、一部が１時仮想線Ｌ１に重なって配置されている。
第４モーター１０４は、平面視において、二次電池２４および切換装置７００の巻真７０１の間に配置され、５時仮想線Ｌ５および６時仮想線Ｌ６に重なる位置に配置されている。
第５モーター１０５は、平面視において、一部が２時仮想線Ｌ２に重なる位置に配置され、切換装置７００の巻真７０１と、第３モーター１０３との間に配置されている。
第６モーター１０６は、平面視において、一部が１０時仮想線Ｌ１０に重なる位置に配置され、第６モーター１０６のローターやコイルは、９時仮想線Ｌ９および１０時仮想線Ｌ１０の間に配置されている。
【００３２】
このため、モーター１０１〜１０６は、平面視において、平面アンテナ４０、二次電池２４、巻真７０１と重ならない位置に配置されている。
また、指針７７１が取り付けられる指針軸５Ｂと、指針７８１が取り付けられる指針軸５Ｃと、指針７９１、７９２が取り付けられる指針軸５Ｄとは、それぞれ日車５５の内周側に配置されている。
【００３３】
第１輪列１１０は、第１モーター１０１のローターカナに噛み合う秒中間車１１１と、秒中間車１１１のカナに噛み合う秒車１１２と、秒中間車１１１のカナに噛み合う秒検出車１１３とを備えている。秒車１１２の秒針軸４Ｂには、秒針３Ｂが取り付けられている。
秒中間車１１１および秒検出車１１３には、従来から用いられている発光部および受光部を備えた針位置検出装置によって検出される針位置検出用の孔が形成されている。なお、第２輪列１２０、第３輪列１３０、第６輪列１６０においても、位置検出用の孔を有する歯車が設けられ、その孔の位置に応じた位置検出装置が設けられている。
【００３４】
第２輪列１２０は、第２モーター１０２のローターカナに噛み合う五番車１２１と、五番車１２１のカナに噛み合う三番車１２２と、三番車１２２のカナに噛み合う二番車１２３とを備えている。二番車１２３は、秒車１１２と平面的に重なって配置されている。二番車１２３の分針軸４Ｃには、分針３Ｃが取り付けられている。
【００３５】
第３輪列１３０は、第３モーター１０３のローターカナに噛み合う時第１中間車１３１と、時第１中間車１３１に噛み合う時第２中間車１３２と、時第２中間車１３２に噛み合う時第３中間車１３３と、時第３中間車１３３のカナに噛み合う時第４中間車１３４と、時第４中間車１３４のカナに噛み合う時第５中間車１３５と、時第５中間車１３５のカナに噛み合う筒車１３６とを備えている。筒車１３６は、秒車１１２、二番車１２３と平面的に重なって配置されている。筒車１３６の時針軸４Ｄには、時針３Ｄが取り付けられている。
また、時第５中間車１３５のカナには、地板２１の裏側に配置された図示略の時検出車が噛み合っている。
【００３６】
第４輪列１４０は、ホームタイム（ＨＴ）用の指針７９１、７９２を駆動する輪列であり、第４モーター１０４のローターカナに噛み合うＨＴ中間車１４１と、ＨＴ中間車１４１のカナに噛み合うＨＴ分車１４２と、ＨＴ日の裏車１４３と、ＨＴ日の裏車１４３のカナに噛み合うＨＴ筒車１４４とを備えている。ＨＴ筒車１４４は、平面視において、ＨＴ分車１４２と重なっており、地板２１の裏側に配置されている。
ＨＴ分車１４２には、ＨＴ用の分針である指針７９１が取り付けられ、ＨＴ筒車１４４にはＨＴ用の時針である指針７９２が取り付けられている。
すなわち、第４モーター１０４は、指針軸４（文字板５０の平面中心Ｏ）に対して６時方向に設けられた第二の指針軸５Ｄに取り付けられた指針７９１、７９２を駆動する。
【００３７】
第５輪列１５０は、３時位置に設けられて曜日を指示する曜針である指針７７１を駆動する輪列であり、第５モーター１０５のローターカナに噛み合う小曜第一中間車１５１と、小曜第一中間車１５１のカナに噛み合う小曜第二中間車１５２と、小曜第二中間車１５２のカナに噛み合う小曜車１５３とを備えている。小曜車１５３は、地板２１の裏側に配置され、小曜車１５３の指針軸５Ｂには指針７７１が取り付けられている。
なお、小曜車１５３は、平面視において、一部が３時仮想線Ｌ３に重なる位置と、一部が２時仮想線Ｌ２に重なる位置との２箇所に選択して配置可能とされている。すなわち、第５モーター１０５は、指針軸４（文字板５０の平面中心Ｏ）に対して３時方向から２時方向までの範囲に設けられた第三の指針軸５Ｂに取り付けられた指針７７１を駆動する。
第１の電子時計１では、小曜車１５３は、平面視において、３時仮想線Ｌ３に重なる位置に配置されている。具体的には、小曜車１５３の指針軸５Ｂの軸位置と指針軸４（平面中心Ｏ）とを結ぶ線と、３時仮想線Ｌ３との交差角度が約４〜８度、例えば約６度となる位置に配置されている。
【００３８】
第６輪列１６０は、９時位置に設けられてモード情報などを指示するモード針（ＭＩ）である指針７８１を駆動する輪列であり、第６モーター１０６のローターカナに噛み合うＭＩ第一中間車１６１と、ＭＩ第一中間車１６１に噛み合うＭＩ第二中間車１６２と、ＭＩ第二中間車１６２のカナに噛み合うＭＩ車１６３とを備えている。ＭＩ車１６３の指針軸５Ｃには、指針７８１が取り付けられている。
なお、ＭＩ第二中間車１６２およびＭＩ車１６３は、平面視において、一部が９時仮想線Ｌ９に重なる位置と、一部が１０時仮想線Ｌ１０に重なる位置との２箇所に選択して配置可能とされている。すなわち、第６モーター１０６は、指針軸４（文字板５０の平面中心Ｏ）に対して９時方向から１０時方向までの範囲に設けられた第四の指針軸５Ｃに取り付けられた指針７８１を駆動する。
第１の電子時計１では、ＭＩ第二中間車１６２およびＭＩ車１６３は、平面視において、９時仮想線Ｌ９に重なる位置に配置されている。具体的には、ＭＩ車１６３の指針軸５Ｃの軸位置と指針軸４（平面中心Ｏ）とを結ぶ線と、９時仮想線Ｌ９との交差角度が約４〜８度、例えば約６度となる位置に配置されている。
【００３９】
［切換装置］
切換装置７００は、リューズ６の操作に連動して動作する装置であり、リューズ６が取り付けられる巻真７０１に加えて、おしどり、かんぬき、クリックバネ、スイッチレバー、おしどり押さえ、スイッチ接点ばね体、スイッチ接点ばね、スイッチ車等を備えた一般的な切換機構である。
巻真７０１は、図３に示すように、ムーブメント２０において、平面視で文字板５０の３時位置に設けられている。また、巻真７０１に加えておしどり等を含む切換装置７００は、文字板５０の外周に沿って、３時仮想線Ｌ３から４時仮想線Ｌ４に跨がって配置されている。
【００４０】
地板２１の表側には、図示を略すが、前述した構成に加えて、回路押さえ、耐磁板、回路基板、アンテナ押さえ、輪列受け等が配置されている。
地板２１の裏側には、図示を略すが、前述した日車５５、太陽電池パネル２５、文字板５０、５０Ｂ等の構成に加えて、筒車押さえ、耐磁板、日車押さえなどが配置されている。これらの構成は、従来から用いられているため、説明を省略する。
【００４１】
［第２の電子時計］
次に、電子時計１に対して、第１小窓７７０および第２小窓７８０の平面位置を変更した電子時計１Ｂについて、図４、図５を参照して説明する。
電子時計１Ｂは、図４、図５に示すように、第１小窓７７０の指針７７１の指針軸５Ｂの位置を電子時計１よりも２時側に移動させ、第２小窓７８０の指針７８１の指針軸５Ｃの位置を電子時計１よりも１０時側に移動させている。
具体的には、指針７７１の指針軸５Ｂは、２時仮想線Ｌ２よりも僅かに３時仮想線Ｌ３側に配置され、指針軸５Ｂと平面中心Ｏとを結ぶ線と、２時仮想線Ｌ２との交差角度が約４−８度、例えば約６度となる位置に設けられている。
同様に、指針７８１の指針軸５Ｃも、１０時仮想線Ｌ１０よりも僅かに９時仮想線Ｌ９側に配置され、指針軸５Ｃと平面中心Ｏとを結ぶ線と、１０時仮想線Ｌ１０との交差角度が約４−８度、例えば約６度となる位置に設けられている。
【００４２】
上記の指針軸５Ｂ、５Ｃの位置を実現するため、図５に示すように、電子時計１Ｂのムーブメント２０Ｂにおける第５モーター１０５の第５輪列１５０では、小曜第一中間車１５１、小曜第二中間車１５２は、電子時計１と同じ位置に配置されている。一方、小曜車１５３は、小曜第二中間車１５２の２時仮想線Ｌ２側の位置に配置されている。
また、電子時計１Ｂにおける第６モーター１０６の第６輪列１６０では、ＭＩ第一中間車１６１は電子時計１と同じ位置に配置されている。一方、ＭＩ第二中間車１６２、ＭＩ車１６３は、ＭＩ第一中間車１６１よりも１０時仮想線Ｌ１０側の位置に配置されている。
このため、第５輪列１５０、第６輪列１６０の各歯車を軸支する地板２１および輪列受けは、小曜車１５３、ＭＩ第二中間車１６２、ＭＩ車１６３を、２種類の電子時計１、１Ｂ用の位置に選択して配置可能に構成されている。また、電子時計１Ｂの文字板５０Ｂは、電子時計１の文字板５０と、第１小窓７７０、第２小窓７８０の位置が異なるものが用いられている。さらに、地板２１の裏側において、指針軸５Ｂ、５Ｃが挿通される部品（日押さえ、ソーラーパネルなど）は、指針軸５Ｂ、５Ｃがそれぞれ挿通可能な貫通孔が形成されている。電子時計１Ｂのその他の構成は、電子時計１と同一であるため、説明を省略する。
【００４３】
［実施形態の作用効果］
電子時計１、１Ｂは、平面アンテナ４０を１２時仮想線Ｌ０に平面視で重なる位置に配置し、巻真７０１を３時仮想線Ｌ３に平面視で重なる位置に配置し、二次電池２４を７時仮想線Ｌ７に平面視で重なる位置に配置し、平面アンテナ４０、巻真７０１、二次電池２４を互いに平面視で重ならない位置に配置したので、アンテナや巻真と電池とを平面視で重ねた場合に比べて、電子時計１、１Ｂを薄型化できる。
また、モーター１０１〜１０６も、互いに平面視で重ならず、さらに、平面アンテナ４０、巻真７０１、二次電池２４のいずれに対しても平面視で重ならないように配置したので、モーター１０１〜１０６が二次電池２４等と重なる場合に比べて、電子時計１、１Ｂを薄型化できる。
【００４４】
文字板５０に平面視で重なるスペースにおいて、文字板５０の１２時側に平面アンテナ４０を配置し、３時側に巻真７０１を配置し、３時仮想線Ｌ３および９時仮想線Ｌ９よりも６時側の領域、具体的には７時側に二次電池２４を配置したので、ムーブメント２０、２０Ｂにおいて、比較的面積が大きな部品を分散して配置できる。さらに、平面アンテナ４０および巻真７０１間の狭いスペースに第３モーター１０３を配置している。これらのレイアウトにより、各小窓７７０，７８０，７９０のレイアウトの自由度が高まり、多彩なデザインの時計を提供できる。また、これらの小窓７７０，７８０，７９０に設けられた指針７７１、７８１、７９１、７９２を用いて、クロノグラフやデュアルタイム、さらには各種センサー等で測定した値の表示を行うことができ、多機能展開を容易に行うことができる。
【００４５】
また、秒針３Ｂを駆動する第１モーター１０１と、分針３Ｃを駆動する第２モーター１０２と、時針３Ｄを駆動する第３モーター１０３とを独立して設けたので、秒針３Ｂ、分針３Ｃ、時針３Ｄを独立して駆動できる。このため、平面アンテナ４０で受信した信号に基づいて時刻を修正する場合に、秒針３Ｂ、分針３Ｃ、時針３Ｄの移動量を最小限に制御できて短時間で正しい時刻に修正でき、利便性を向上できる。
ここで、センター針である秒針３Ｂ、分針３Ｃ、時針３Ｄを駆動する各モーター１０１〜１０３は、ムーブメント２０、２０Ｂの中央部側に配置することが好ましい。しかしながら、比較的大きな面積を占める平面アンテナ４０や二次電池２４も配置されるため、３つのモーター１０１〜１０３をムーブメント２０、２０Ｂの中央部側に配置することができない。そこで、本実施形態では、第３モーター１０３を、平面アンテナ４０と巻真７０１との間に、具体的には１時仮想線Ｌ１および２時仮想線Ｌ２で囲まれるスペースを利用して配置した。このため、他のモーター１０１，１０２は、ムーブメント２０、２０Ｂの中央部側の適切な位置に配置でき、秒針３Ｂ、分針３Ｃ、時針３Ｄを独立して駆動でき、かつ、効率的なレイアウトを実現でき、ムーブメント２０、２０Ｂの平面寸法を小さくでき、電子時計１、１Ｂを小型化できる。
【００４６】
外装ケース１０内において、３時仮想線Ｌ３および９時仮想線Ｌ９で区画される２つの領域のうち、１２時側の領域に平面アンテナ４０を配置し、６時側の領域に二次電池２４を配置したので、平面アンテナ４０を二次電池２４から離して配置できる。このため、金属製の二次電池２４が平面アンテナ４０の受信に影響を与えることを軽減でき、平面アンテナ４０での受信性能を向上できる。
【００４７】
また、秒針３Ｂ、分針３Ｃ、時針３Ｄを駆動する３個のモーター１０１〜１０３のうち、時針３Ｄを駆動する第３モーター１０３を、平面アンテナ４０に最も近接して配置したので、秒針３Ｂ、分針３Ｃ、時針３Ｄを運針しながら平面アンテナ４０で受信処理を行った場合に、モーター１０１〜１０３の動作の影響を最小限に抑えることができる。すなわち、秒針３Ｂ、分針３Ｃ、時針３Ｄの中で運針間隔が最も長いのは時針３Ｄであり、第３モーター１０３の動作間隔も他のモーター１０１、１０２に比べて長くなる。例えば、第１モーター１０１は１秒間隔で運針され、第２モーター１０２は５秒間隔で運針され、第３モーター１０３は６０秒間隔で運針される。このため、第３モーター１０３は、他のモーター１０１、１０２に比べて、平面アンテナ４０での受信性能に影響を与えにくくできる。したがって、第３モーター１０３は、平面アンテナ４０の近くに配置できるため、電子時計１、１Ｂの平面寸法を小さくできて小型化できる。
また、第３モーター１０３は、他のモーター１０１、１０２に比べて動作間隔が長いため、駆動信号のエネルギーを大きくしても、消費電力の増大を抑制できる。このため、第３輪列１３０は、第１輪列１１０、第２輪列１２０に比べて歯車の数を増やすことができ、指針軸４から離れた文字板５０の外周に沿った位置に配置できる。したがって、第３モーター１０３を平面アンテナ４０と巻真７０１との間のスペースに配置できるため、電子時計１、１Ｂにおけるスペース効率を向上でき、電子時計１、１Ｂを小型化できる。
【００４８】
巻真７０１を含む切換装置７００を、文字板５０の外周に沿って、かつ、３時仮想線Ｌ３から４時仮想線Ｌ４に跨がるスペースに配置したので、巻真７０１（切換装置７００）と第３モーター１０３との間にスペースを確保でき、このスペースに指針７７１を駆動する第５モーター１０５を配置できる。このため、１時仮想線Ｌ１および３時仮想線Ｌ３で囲まれる扇形領域に、第３モーター１０３、第３輪列１３０、第５モーター１０５、第５輪列１５０を配置できる。したがって、他のモーター１０１、１０２、１０４、１０６を配置可能なスペースを大きくでき、サブダイヤルの配置自由度も向上でき、複数の指針を設けた多機能時計も容易に実現できる。
さらに、２時位置や３時位置に配置される第１小窓７７０の指針７７１を駆動する第５モーター１０５を、指針７７１の指針軸５Ｂの近くに配置できる。このため、第５輪列１５０の歯車の数を最小減にでき、駆動効率も向上できる。
【００４９】
切換装置７００を文字板５０の外周に沿って配置したので、切換装置７００と指針軸４との間にスペースを確保でき、このスペースに第１モーター１０１を配置できる。このため、第１モーター１０１を指針軸４に近接して配置でき、秒針３Ｂを駆動する第１輪列１１０を必要最小限の歯車のみで構成でき、効率的に配置できる。
また、平面アンテナ４０を１２時位置に配置し、二次電池２４を７時位置に配置したので、二次電池２４と平面アンテナ４０との間にスペースを確保でき、このスペースに第２モーター１０２を配置できる。このため、第２モーター１０２を指針軸４に近接して配置でき、分針３Ｃを駆動する第２輪列１２０を必要最小限の歯車のみで構成でき、効率的に配置できる。
【００５０】
二次電池２４を７時位置に配置したので、切換装置７００と二次電池２４との間に、文字板５０の外周にそって大きなスペースを確保でき、他のモーターに比べてサイズが大きな第４モーター１０４を配置できる。このため、電子時計１、１Ｂの外径を大きくすることなく、高速モーターをレイアウトすることができる。
第４モーター１０４は、２つのコイルを有する高速モーターであるため、指針７９１、７９２も高速で移動できる。このため、ホームタイムのタイムゾーンを変更したり、分針３Ｃ、時針３Ｄで指示するローカルタイムと、ホームタイムとを入れ替える場合に、指針７９１、７９２の修正を短時間で行うことができる。
【００５１】
モーター１０１〜１０５、二次電池２４、平面アンテナ４０を、９時仮想線Ｌ９および１１時仮想線Ｌ１１間の領域以外に配置したので、第６モーター１０６は、９時仮想線Ｌ９および１１時仮想線Ｌ１１間の領域に配置できる。このため、９時位置や１０時位置に配置される第２小窓７８０の指針７８１を駆動する第６モーター１０６を、指針７８１の指針軸５Ｃの近くに配置できる。したがって、第６輪列１６０の歯車の数を最小減にでき、駆動効率も向上できる。また、検出用の歯車を追加するスペースも確保でき、モード針や電池残量表示に用いられる指針７８１の指示位置を適切に制御できる。さらに、第６輪列１６０に連動する図示略のゼネバ機構を用いて日車５５を回転する際に、検出歯車の回転数を検出できるため、日車５５の移動も正確に制御できる。
【００５２】
［他の実施形態］
なお、本発明は前記各実施形態に限定されず、本発明の要旨の範囲内で種々の変形実施が可能である。
【００５３】
本発明において、モーターの数は、前記実施形態の数に限定されず、少なくとも、秒針３Ｂ、分針３Ｃ、時針３Ｄを駆動する独立した３つ以上のモーターを備えていればよい。
また、モーター１０１〜１０３の配置は前記実施形態に限定されない。例えば、平面アンテナ４０と巻真７０１との間に、第１モーター１０１や第２モーター１０２を配置してもよい。平面アンテナ４０と二次電池２４との間に、第１モーター１０１や第３モーター１０３を配置してもよい。文字板５０、５０Ｂの平面中心Ｏに設けられる指針軸４と巻真７０１との間には、第２モーター１０２や第３モーター１０３を配置してもよい。
【００５４】
平面アンテナ４０は、少なくとも一部が１２時仮想線Ｌ０に重なる位置に配置されていればよい。例えば、平面アンテナ４０の平面中心が１１時仮想線Ｌ１１と重なる位置に配置されていてもよい。平面アンテナ４０の配置の向きも、前記実施形態の向きに限定されない。
二次電池２４は、３時仮想線Ｌ３および９時仮想線Ｌ９よりも６時側の領域に配置されていればよい。例えば、５時仮想線Ｌ５と重なる位置に配置してもよいし、８時仮想線Ｌ８に重なる位置に配置してもよい。
【００５５】
第４モーター１０４は、二次電池２４の配置位置に応じてレイアウトすればよく、例えば、二次電池２４が５時仮想線Ｌ５に重なる位置に配置された場合は、二次電池２４と９時仮想線Ｌ９との間に配置すればよい。
さらに、第４モーター１０４は、２コイルモーターに限定されず、他のモーターと同様の１コイルモーターでもよい。さらに、第６モーター１０６を配置するスペースも比較的広いため、第２小窓７８０に２つの指針を設け、第６モーター１０６を２コイルモーターで構成し、第２小窓７８０でホームタイムを表示してもよい。
すなわち、第１小窓７７０、第２小窓７８０、第３小窓７９０で表示する情報は前記実施形態に限らず、電子時計１、１Ｂで実現する機能に応じて設定すればよい。
【００５６】
平面アンテナ４０が受信する信号は、位置情報衛星であるＧＰＳ衛星から送信される衛星信号に限定されない。例えば、衛星信号は、ガリレオ（ＥＵ）、ＧＬＯＮＡＳＳ（ロシア）、Ｂｅｉｄｏｕ（中国）などの他の全地球的公航法衛星システム（ＧＮＳＳ）で利用される衛星から送信される信号でもよい。また、衛星信号は、静止衛星型衛星航法補強システム（ＳＢＡＳ）などの静止衛星や、準天頂衛星等の特定の地域のみで検索できる地域的衛星測位システム（ＲＮＳＳ）などから送信される衛星信号でもよい。さらに、平面アンテナ４０は、衛星信号以外の信号を受信する仕様としてもよい。
平面アンテナ４０としては、前述のパッチアンテナに限定されず、チップアンテナなどの他の種類の平面アンテナでもよく、受信する信号に種類に応じて適切な平面アンテナを用いればよい。電池としては、二次電池２４に限らず、一次電池でもよい。
【符号の説明】
【００５７】
１…第１の電子時計、１Ｂ…第２の電子時計、３…指針、３Ｂ…秒針、３Ｃ…分針、３Ｄ…時針、４…指針軸、４Ｂ…秒針軸、４Ｃ…分針軸、４Ｄ…時針軸、５Ｂ…指針軸、５Ｃ…指針軸、５Ｄ…指針軸、１０…外装ケース、１１…ケース本体、１２…裏蓋、１３…胴、２０、２０Ｂ…ムーブメント、２１…地板、２２…駆動体、２４…二次電池、２５…太陽電池パネル、４０…平面アンテナ、５０、５０Ｂ…文字板、５１…日窓、５３…貫通孔、５５…日車、１０１…第１モーター、１０２…第２モーター、１０３…第３モーター、１０４…第４モーター、１０５…第５モーター、１０６…第６モーター、１１０…第１輪列、１２０…第２輪列、１３０…第３輪列、１４０…第４輪列、１５０…第５輪列、１６０…第６輪列、７００…切換装置、７０１…巻真、７７０…第１小窓、７７１…指針、７８０…第２小窓、７８１…指針、７９０…第３小窓、７９１、７９２…指針、Ｌ０…１２時仮想線、Ｌ１…１時仮想線、Ｌ２…２時仮想線、Ｌ３…３時仮想線、Ｌ４…４時仮想線、Ｌ５…５時仮想線、Ｌ６…６時仮想線、Ｌ７…７時仮想線、Ｌ８…８時仮想線、Ｌ９…９時仮想線、Ｌ１０…１０時仮想線、Ｌ１１…１１時仮想線。
【図１】
2019144162.tif 000003
【図２】
2019144162.tif 000004
【図３】
2019144162.tif 000005
【図４】
2019144162.tif 000006
【図５】
2019144162.tif 000007